(57)【要約】【課題】ブラシを自動回転させ、ゴミや抜け毛等の処理を手軽に何時でも何処でも出来ることを目的としたものである。【解決手段】動物の身体に撫で車３と撫で車補助４を当て手で動かすと、ソフトタッチスプリング１３の付いている回転伝達車受板１２で一体と成っている撫で車３に付く回転伝達車ａ５・回転伝達車ｂ６・回転伝達車ｃ７・回転伝達車ｄ８が回転し、回転伝達車ｄ８に付くブラシ９が進行方向にすくい上げながら回転するものに、左右両回転対応ゴミ落し櫛１０を組合わせたものである。【選択図】　　　図１
2004089147.tif 000002
【特許請求の範囲】
【請求項１】
動物の身体に撫で車を当て手で動かし、ブラシを自動にて進行方向にすくい上げながら回転させたもので、その方法として、
動物の身体に撫で車と撫で車補助を当て手で動かすと、回転伝達車受板で一体と成っている撫で車に付く回転伝達車ａ・回転伝達車ｂ・回転伝達車ｃ・回転伝達車ｄが回転し、回転伝達車ｄに付くブラシが進行方向にすくい上げながら回転する事を特徴とする動物の毛手入れ機。
【請求項２】
動物の身体に撫で車を当て手で動かし、ブラシを自動にて進行方向にすくい上げながら弾力を持った位置で回転させたもので、その方法として、
動物の身体に撫で車と撫で車補助を当て手で動かすと、ソフトタッチスプリングの付いている回転伝達車受板で一体と成っている撫で車に付く回転伝達車ａ・回転伝達車ｂ・回転伝達車ｃ・回転伝達車ｄが回転し、回転伝達車ｄに付くブラシが進行方向にすくい上げながら弾力を持った位置で回転する事を特徴とする動物の毛手入れ機。
【請求項３】
動物の身体に撫で車を当て手で動かし、ブラシを自動にて進行方向にすくい上げながら回転させたものに、ブラシの左右両回転に対応出来る左右両回転対応ゴミ落し櫛を組合わせたもので、その方法として、
動物の身体に撫で車と撫で車補助を当て手で動かすと、回転伝達車受板で一体と成っている撫で車に付く回転伝達車ａ・回転伝達車ｂ・回転伝達車ｃ・回転伝達車ｄが回転し、回転伝達車ｄに付くブラシが進行方向にすくい上げながら回転するものに、左右両回転対応ゴミ落し櫛を組合わせた事を特徴とする動物の毛手入れ機。
【請求項４】
動物の身体に撫で車を当て手で動かし、ブラシを自動にて進行方向にすくい上げながら弾力を持った位置で回転させたものに、ブラシの左右両回転に対応出来る左右両回転対応ゴミ落し櫛を組合わせたもので、その方法として、
動物の身体に撫で車と撫で車補助を当て手で動かすと、ソフトタッチスプリングの付いている回転伝達車受板で一体と成っている撫で車に付く回転伝達車ａ・回転伝達車ｂ・回転伝達車ｃ・回転伝達車ｄが回転し、回転伝達車ｄに付くブラシが進行方向にすくい上げながら回転するものに、左右両回転対応ゴミ落し櫛を組合わせた事を特徴とする動物の毛手入機。
【請求項５】
動物の身体に撫で車を当て手で動かし、ブラシを自動にて進行方向にすくい上げながら回転させ、すくい上げた物を掃除機機能で吸引させるもので、その方法として、
動物の身体に撫で車と撫で車補助を当て手で動かすと、回転伝達車受板で一体と成っている撫で車に付く回転伝達車ａ・回転伝達車ｂ・回転伝達車ｃ・回転伝達車ｄが回転し、回転伝達車ｄに付くブラシが進行方向にすくい上げながら回転するものに、外枠の掃除機機能受口蓋を押し掃除機機能を挿入した事を特徴とする動物の毛手入れ機。
【請求項６】
動物の身体に撫で車を当て手で動かし、ブラシを自動にて進行方向にすくい上げながら弾力を持った位置で回転させ、すくい上げた物を掃除機機能で吸引させるもので、その方法として、
動物の身体に撫で車と撫で車補助を当て手で動かすと、ソフトタッチスプリングの付いている回転伝達車受板で一体と成っている撫で車に付く回転伝達車ａ・回転伝達車ｂ・回転伝達車ｃ・回転伝達車ｄが回転し、回転伝達車ｄに付くブラシが進行方向にすくい上げながら弾力を持った位置で回転するものに、外枠の掃除機機能受口蓋を押し掃除機機能を挿入した事を特徴とする動物の毛手入れ機。
【請求項７】
動物の身体に撫で車を当て手で動かし、ブラシを自動にて進行方向にすくい上げながら回転させたものに、ブラシの左右両回転に対応出来る左右両回転対応ゴミ落し櫛を組合わせ、ゴミ収納袋にも収納出来る様にもしたもので、その方法として、
動物の身体に撫で車と撫で車補助を当て手で動かすと、回転伝達車受板で一体と成っている撫で車に付く回転伝達車ａ・回転伝達車ｂ・回転伝達車ｃ・回転伝達車ｄが回転し、回転伝達車ｄに付くブラシが進行方向にすくい上げながら回転するものに、左右両回転対応ゴミ落し櫛を組合わせゴミ受袋止板で受け、ゴミ受袋止板で止めたゴミ収納袋で収納する、あるいは外枠上の掃除機機能受口蓋を押し挿入した掃除機機能で吸引する様にした事を特徴とする動物の毛手入れ機。
【請求項８】
動物の身体に撫で車を当て手で動かし、ブラシを自動にて進行方向にすくい上げながら弾力を持った位置で回転させたものに、ブラシの左右両回転に対応出来る左右両回転対応ゴミ落し櫛を組合わせ、ゴミ収納袋にも収納出来る様にしたもので、その方法として、
動物の身体に撫で車と撫で車補助を当て手で動かすと、ソフトタッチスプリングの付いている回転伝達車受板で一体と成っている撫で車に付く回転伝達車ａ・回転伝達車ｂ・回転伝達車ｃ・回転伝達車ｄが回転し、回転伝達車ｄに付くブラシが進行方向にすくい上げながら弾力を持った位置で回転するものに、左右両回転対応ゴミ落し櫛を組合わせゴミ受袋止板で受け、ゴミ受袋止板で止めたゴミ収納袋で収納する、あるいは外枠上の掃除機機能受口蓋を押し挿入した掃除機機能で吸引する様にした事を特徴とする動物の毛手入れ機。
【発明の詳細な説明】
【０００１】
【発明の属する技術分野】
動物の毛の手入機に属する。
【０００２】
【従来の技術】
これまでの動物の手入には、次の様な公開特許公報に記載されているものがある。
特開２００１−１２００９８、特開２０００−３５０５２８、特開平１１−２８９８９９、特開平１０−２７６８３５、特開平１０−６６４６７、特開平９−２０６１２８、特開平８−１７２９６２等である。
【０００３】
【発明が解決しようとする課題】
これまでは、ブラシが固定型であったり、回転させるにも電動であったりで、収納方法も手で取ったり掃除機機能で吸引させるものであった。これ等の物は、手が掛かったり大袈裟な物に成っていた。
前記課題に着目し、自動回転させ、ゴミの収納も手軽に出来る様にする事を目的とするものである。
【０００４】
【課題を解決するための手段】
動物の身体に撫で車を当て手で動かし、ブラシを自動にて進行方向にすくい上げながら回転させたものに、ブラシの左右両回転に対応出来る左右両回転対応ゴミ落し櫛を組合わせ、ゴミ収納袋にも収納出来る様にしたもので、その方法として、
動物の身体に撫で車と撫で車補助を当て手で動かすと、回転伝達車受板で一体と成っている撫で車に付く回転伝達車ａ・回転伝達車ｂ・回転伝達車ｃ・回転伝達車ｄが回転し、回転伝達車ｄに付くブラシが進行方向にすくい上げながら回転するものに、左右両回転対応ゴミ落し櫛を組合わせゴミ受袋止板で受け、ゴミ収納袋で収納するあるいは掃除機機能で吸引する様にした事によって達成される。
【０００５】
【実施例】
この発明の一実施例で、動物の身体に撫で車を当て手で動かし、ブラシを自動にて進行方向にすくい上げながら回転させたものである。これにより、ゴミや抜毛等が吸取り易く成り、しかもブラシの回転を電動に頼らずに大袈裟にせずに出来るのである。その構成は、
動物の身体に撫で車３と撫で車補助４を当て手で動かすと、回転伝達車受板１２で一体と成っている撫で車３に付く回転伝達車ａ５・回転伝達車ｂ６・回転伝達車ｃ７・回転伝達車ｄ８が回転し、回転伝達車ｄ８に付くブラシ９が進行方向にすくい上げながら回転するものである。
【０００６】
この発明の一実施例で、動物の身体に撫で車を当て手で動かし、ブラシを自動にて進行方向にすくい上げながら弾力を持った位置で回転させたものである。これにより、動物の身体に対し、ブラシで傷付ける事無くソフトタッチに出来るので、動物も安心して身を任せる事が出来、お互い楽しみに成るのである。その構成は、
動物の身体に撫で車３と撫で車補助４を当て手で動かすと、ソフトタッチスプリング１３の付いている回転伝達車受板１２で一体と成っている撫で車３に付く回転伝達車ａ５・回転伝達車ｂ６・回転伝達車ｃ７・回転伝達車ｄ８が回転し、回転伝達車ｄ８に付くブラシ９が進行方向にすくい上げながら弾力を持った位置で回転するものである。
【０００７】
この発明の一実施例で、動物の身体に撫で車を当て手で動かし、ブラシを自動にて進行方向にすくい上げながら回転させたものに、ブラシの左右両回転に対応出来る左右両回転対応ゴミ落し櫛を組合わせたものである。これにより、ブラシの回転が左右に関係なくゴミや抜毛等を取除く事が出来、ゴミ収納を容易にしたのである。その構成は、
動物の身体に撫で車３と撫で車補助４を当て手で動かすと、回転伝達車受板１３で一体と成っている撫で車３に付く回転伝達車ａ５・回転伝達車ｂ６・回転伝達車ｃ７・回転伝達車ｄ８が回転し、回転伝達車ｄ８に付くブラシ９が進行方向にすくい上げながら回転するものに、左右両回転対応ゴミ落し櫛１０を組合わせたものである。
【０００８】
この発明の一実施例で、動物の身体に撫で車を当て手で動かし、ブラシを自動にて進行方向にすくい上げながら弾力を持った位置で回転させたものに、ブラシの左右両回転に対応出来る左右両回転対応ゴミ落し櫛を組合わせたものである。これにより、前述の「０００５」「０００６」「０００７」にある様に、自動でブラシが回転し、動物の身体にやさしくいたわりソフトタッチに出来、ブラシの回転方向に関係なくゴミや抜毛等を取除く事が出来るのである。その構成は、
この発明の一実施例で、動物の身体に撫で車３と撫で車補助４を当て手で動かし、ソフトタッチスプリング１３の付いている回転伝達車受板１２で一体と成っている撫で車３に付く回転伝達車ａ５・回転伝達車ｂ６・回転伝達車ｃ７・回転伝達車ｄ８が回転し、回転伝達車ｄ８に付くブラシ９が進行方向にすくい上げながら回転するものに、左右両回転対応ゴミ落し櫛１０を組合わせたものである。
【０００９】
この発明の一実施例で、動物の身体に撫で車を当て手で動かし、ブラシを自動にて進行方向にすくい上げながら回転させたものに、ブラシの左右両回転に対応出来る左右両回転対応ゴミ落し櫛を組合わせ、ゴミ収納袋にも収納出来る様にもしたものである。これにより、前述の「０００５」「０００７」にある通り、自動でブラシが回転するので大袈裟な物にせずに、ゴミや抜毛等の処理も簡単に出来、よって何時でも何処でも手軽に取扱い出来る様に成るのである。その構成は、
外枠下１と外枠上２に納められていて、ロック部１５を押すと外枠ヒンジ１４を支点に開けられ、ゴミ受袋止板ヒンジ１６を支点に動くゴミ受袋止板１１でゴミ収納袋１８を止められるもの様にしてあり、動かす方向も両方向に対応出来る物である。
動物の身体に撫で車３と撫で車補助４を当て手で動かすと、回転伝達車受板１２で一体と成っている撫で車３に付く回転伝達車ａ５・回転伝達車ｂ６・回転伝達車ｃ７・回転伝達車ｄ８が回転し、回転伝達車ｄ８に付くブラシ９が進行方向にすくい上げながら回転するものに、左右両回転対応ゴミ落し櫛１０を組合わせゴミ受袋止板１１で受け、ゴミ受袋止板１１で止めたゴミ収納袋１８で収納する、あるいは外枠上２の掃除機機能受口蓋１７を押し挿入した掃除機機能１９で吸引する様にしたものである。
【００１０】
この発明の一実施例で、動物の身体に撫で車を当て手で動かし、ブラシを自動にて進行方向にすくい上げながら弾力を持った位置で回転させたものに、ブラシの左右両回転に対応出来る左右両回転対応ゴミ落し櫛を組合わせ、ゴミ袋収納にも収納出来る様にしたものである。これにより、前述の「０００５」「０００６」「０００７」にある通り自動でブラシが回転し、動物の身体にやさしくいたわりソフトタッチに出来、ブラシの回転方向に関係なくゴミや抜毛等を取除く事も出来、これこそ、大袈裟な物にせずにコンパクトで、ゴミや抜け毛等の処理も簡単で、何時でも何処でも手軽に取扱い出来る逸品である。その構成は、
外枠下１と外枠上２に納められていて、ロック部１５を押すと外枠ヒンジ１４を支点に開けられ、ゴミ受袋止板ヒンジ１６を支点に動くゴミ受袋止板１１でゴミ収納袋１８を止められる様にしてあり、動かす方向も両方向に対応出来る物である。
動物の身体に撫で車３と撫で車補助４を当て手で動かすと、ソフトタッチスプリング１３の付いている回転伝達車受板１２で一体と成っている撫で車３に付く回転伝達車ａ５・回転伝達車ｂ６・回転伝達車ｃ７・回転伝達車ｄ８が回転し、回転伝達車ｄ８に付くブラシ９が進行方向にすくい上げながら弾力を持った位置で回転するものに、左右両回転対応ゴミ落し櫛１０を組合わせゴミ受袋止板１１で受け、ゴミ受袋止板１１で止めたゴミ収納袋１８で収納する、あるいは外枠上２の掃除機機能受口蓋１７を押し挿入した掃除機機能１９で吸引する様にしたものである。
【００１１】
【発明の効果】
動物の身体に撫で車を当て手で動かし、ブラシを自動にて進行方向にすくい上げながら弾力を持った位置で回転させたものに、ブラシの左右両回転に対応出来る左右両回転対応ゴミ落し櫛を組合わせたもので、その方法として、
動物の身体に撫で車と撫で車補助を当て手で動かすと、ソフトタッチスプリングの付いている回転伝達車受板で一体と成っている撫で車に付く回転伝達車ａ・回転伝達車ｂ・回転伝達車ｃ・回転伝達車ｄが回転し、回転伝達車ｄに付くブラシが進行方向にすくい上げながら回転するものに、左右両回転対応ゴミ落し櫛を組合わせたものである。
この様に本発明によれば、動物の毛の手入れをより身近に出来るものである。
【図面の簡単な説明】
【図１】本発明の一実施例を示すＡ−Ａ断面視図。
【図２】本発明の一実施例を示す側面図。
【符号の説明】
１　　外枠下
２　　外枠上
３　　撫で車
４　　撫で車補助
５　　回転伝達車ａ
６　　回転伝達車ｂ
７　　回転伝達車ｃ
８　　回転伝達車ｄ
９　　ブラシ
１０　　左右両回転対応ゴミ落し櫛
１１　　ゴミ受袋止板
１２　　回転伝達車受板
１３　　ソフトタッチスプリング
１４　　外枠ヒンジ
１５　　ロック部
１６　　ゴミ受袋止板ヒンジ
１７　　掃除機機能受口蓋
１８　　ゴミ収納袋
１９　　掃除機機能
【図１】
2004089147.tif 000003
【図２】
2004089147.tif 000004